【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
１つのデジタルコンテンツを分割してクライアントにダウンロードするためのシステムであって、
前記デジタルコンテンツの第１の部分をクライアントに送信する第１の送信手段と、
前記デジタルコンテンツの第２の部分をクライアントに送信する第２の送信手段と、
前記第１の送信手段および前記第２の送信手段と前記クライアントとの間を仲介する仲介手段と、
を備え、
前記仲介手段は、
前記第２の部分を検出する検出手段と、
前記検出された第２の部分をどこで入手可能かを前記クライアントに通知する通知手段と、
前記第２の送信手段から前記第２の部分を受信するためのリアルタイムハイパーリンクを前記クライアントに供給する監視手段と
をさらに備え、
前記デジタルコンテンツは、前記第１の部分および前記第２の部分から構成されることを特徴とするシステム。
【請求項２】
前記通知手段は、
前記第１の送信手段から送信される前記デジタルコンテンツの第１の部分に基づいて、前記第２の送信手段から前記第２の部分がクライアントに送信される必要があることを判定する配布リゾルバ手段をさらに備えることを特徴とする請求項１に記載のシステム。
【請求項３】
前記配布リゾルバ手段は、前記第２の部分に関するメタデータを入手するメタデータリーダ手段をさらに備えることを特徴とする請求項２に記載のシステム。
【請求項４】
自動分類のシステムを使用して前記第１の送信手段および前記第２の送信手段を検索して前記デジタルコンテンツの前記第２の部分を突き止める人工知能（ＡＩ）手段をさらに備えることを特徴とする請求項１に記載のシステム。
【請求項５】
複数の独立ソフトウェアベンダ（ＩＳＶ）サーバーからダウンロード配布エンジン経由でクライアントにデジタルコンテンツを分割ダウンロードする方法であって、
前記デジタルコンテンツは、第１の部分および第２の部分から構成され、
前記方法は、
第１のＩＳＶサーバーが、前記デジタルコンテンツの第１の部分を送信するステップと、
ダウンロード配布エンジンが、前記送信された第１の部分に基づいて、前記デジタルコンテンツの第２の部分がクライアントに送信される必要があることを判定するステップと、
ダウンロード配布エンジンが、前記判定された第２の部分を受信するためのリアルタイムハイパーリンクを前記クライアントに提供するステップと、
前記クライアントが、前記リアルタイムハイパーリンクを使用して、第２のＩＳＶサーバーに前記第２の部分のダウンロードを要求するステップと、
第２のＩＳＶサーバーが、前記デジタルコンテンツの第２の部分をクライアントに送信するステップと
を含むことを特徴とする方法。
【請求項６】
複数の独立ソフトウェアベンダ（ＩＳＶ）サーバーからダウンロード配布エンジン経由でクライアントにデジタルコンテンツを分割ダウンロードするためのコンピュータープログラムであって、
前記デジタルコンテンツは、第１の部分および第２の部分から構成され、
前記コンピュータープログラムは、
第１のＩＳＶサーバーが、前記デジタルコンテンツの第１の部分を送信するステップと、
ダウンロード配布エンジンが、前記送信された第１の部分に基づいて、前記デジタルコンテンツの第２の部分がクライアントに送信される必要があることを判定するステップと、
ダウンロード配布エンジンが、前記判定された第２の部分を受信するためのリアルタイムハイパーリンクを前記クライアントに提供するステップと、
前記クライアントが、前記リアルタイムハイパーリンクを使用して、第２のＩＳＶサーバーに前記第２の部分のダウンロードを要求するステップと、
第２のＩＳＶサーバーが、前記デジタルコンテンツの第２の部分をクライアントに送信するステップと
を含む方法をコンピューターに実行させることを特徴とするコンピュータープログラム。
【請求項７】
ソフトウェアを購入し、配布するためのシステムであって、
複数の独立ソフトウェアベンダ（ＩＳＶ）サーバーであって、各ＩＳＶサーバーは、ダウンロード可能なソフトウェアの部分を供給するように構成され、前記ダウンロード可能なソフトウェアの各部分は、別々のＩＳＶサーバーによって供給される、複数のＩＳＶサーバーと、
カスタマーコンピューターからの前記ダウンロード可能なソフトウェアの注文データを処理するように構成され、かつ前記注文データに関連するトランザクションを生成し、前記注文データを前記ＩＳＶサーバーに供給するようにも構成される、マーチャントオブレコード（ＭＯＲ）と、
前記カスタマーコンピューターに関連付けられるダウンロードマネージャであって、前記ＩＳＶサーバーから前記ソフトウェアの部分をダウンロードし、前記ダウンロードされた部分から完全なソフトウェアをビルドするように構成される、ダウンロードマネージャ（ＤＬＭ）と
を含み、
前記部分のすべては、前記ダウンロードマネージャによって完全なソフトウェアをビルドするのに必要であることを特徴とするシステム。
【請求項８】
前記マーチャントオブレコードによって生成された前記トランザクションを前記ＩＳＶサーバーに供給するように構成される転送マネージャ（ＴＭ）をさらに含み、
前記転送マネージャは、ダウンロード許可を前記ＩＳＶサーバーから受信し、前記ＩＳＶサーバーからの前記ソフトウェアの部分のダウンロードと共に使用するために前記ダウンロード許可を前記カスタマーコンピューターに供給するようにも構成されることを特徴とする請求項７に記載のシステム。
【請求項９】
前記カスタマーコンピューターからの前記注文データの処理に関して前記マーチャントオブレコードのエージェントとして動作するように構成された許可されたマーチャント（ＡＵＭ）をさらに含むことを特徴とする請求項８に記載のシステム。
【請求項１０】
コンピューター実行可能命令を記録したコンピューター読み取り可能な記録媒体であって、
前記コンピューター実行可能命令は、コンピューターに、
ダウンロード可能ソフトウェアを購入する注文データを、カスタマーコンピューターからマーチャントオブレコード（ＭＯＲ）が受信するステップと、
前記注文データに関連するトランザクションをマーチャントオブレコード（ＭＯＲ）が生成するステップと、
各々が前記ソフトウェアの一部分を送信する、複数のＩＳＶサーバーをマーチャントオブレコード（ＭＯＲ）が識別するステップであって、該一部分のすべては該ソフトウェアの完全なバージョンをビルドするのに必要であるステップと、
マーチャントオブレコード（ＭＯＲ）が前記トランザクションを前記複数のＩＳＶサーバーの少なくとも一つに供給するステップと、
前記少なくとも一つのＩＳＶサーバーが前記トランザクションに関連する購入情報およびダウンロード情報を判定するステップと、
前記少なくとも一つのＩＳＶサーバーが前記購入情報および前記ダウンロード情報に対応するソフトウェアの一部分を前記カスタマーコンピューターに送信するステップと
を実行させることを特徴とするコンピューター読み取り可能な記録媒体。
【請求項１１】
コンピューターが実行する方法であって、
前記方法は、
ダウンロード可能ソフトウェアを購入する注文データを、カスタマーコンピューターからマーチャントオブレコード（ＭＯＲ）が受信するステップと、
前記注文データに関連するトランザクションをマーチャントオブレコード（ＭＯＲ）が生成するステップと、
各々が前記ソフトウェアの一部分を送信する、複数のＩＳＶサーバーをマーチャントオブレコード（ＭＯＲ）が識別するステップであって、該一部分のすべては該ソフトウェアの完全なバージョンをビルドするのに必要であるステップと、
マーチャントオブレコード（ＭＯＲ）が前記トランザクションを前記複数のＩＳＶサーバーの少なくとも一つに供給するステップと、
前記少なくとも一つのＩＳＶサーバーが前記トランザクションに関連する購入情報およびダウンロード情報を判定するステップと、
前記少なくとも一つのＩＳＶサーバーが前記購入情報および前記ダウンロード情報に対応するソフトウェアの一部分を前記カスタマーコンピューターに送信するステップと
を含むことを特徴とする方法。